【事件の表示】
　特願２００１−３７０１３７「小型円形フリスビーおよびその射出機」拒絶査定不服審判事件〔平成１５年６月１０日出願公開、特開２００３−１６４６７７〕について、次のとおり審決する。
【結　論】
　本件審判の請求は、成り立たない。
【理　由】
１　手続の経緯及び本願発明
　本願は、平成１３年（２００１年）１２月４日に出願された特願２００１−３７０１３７号の特許出願であって、原審における平成１８年６月１４日付の拒絶理由通知に対し、平成１８年９月２８日付の意見書とともに同日付の手続補正書が提出されたところ、平成１９年８月２日付で拒絶査定がなされ、これに対し、拒絶査定不服審判の請求が平成１９年１２月２８日にされたものである。
　したがって、当審の審理の対象とすべき本願発明は、平成１８年９月２８日付の手続補正により補正された明細書の特許請求の範囲の請求項１ないし請求項４に記載された事項により特定されるとおりのものであるところ、特にその請求項１に係る発明は、次のとおりのものである。（以下、これを「
本願発明１
「【請求項１】　専用の射出機から射出されるフリスビーのように飛行する所定の大きさ、厚さ、重さを持った小型円盤状部材であり、該小型円盤状部材の周端部に爪部との噛み合わせのための位置決めを容易なものとするように適当な間隔を採って複数個の溝部が厚さ方向に沿って形成され、該溝部に対して専用射出機の射出機構端部に形成された爪部が引っ掛けられた状態で射出動作することで小型円盤状部材に十分な回転が与えられることを特徴とする円形小型フリスビー。」
　
２　引用刊行物及びその記載事項
（１）原審における拒絶査定の理由に引用された、本願の特許出願前に頒布された刊行物である実願昭５５−１１４９２７号（実開昭５７−３６９９５号）のマイクロフィルム（以下、「
引用刊行物１
「合成樹脂等からなる玩具に於いて、握部（１）（１’）を有し、該握部（１）の端部に円弧状の腕部（３）を設け、該腕部（３）の先端よりに突起部（７）を突設し、且つ腕部（３）の一平面に鍔部（５）を設け、更に握部（１’）の端部に、一方の腕部（３）より長い円弧状の腕部（２）を設け、該腕部（２）の先端よりに突起部（６）を設け、且つ腕部（３）の一平面に鍔部（４）を設けて握元部（
１０
「本考案は、円盤を飛ばして遊ぶ飛揚円盤遊戯玩具に関するものである。
　従来、子供達が円盤状の物を飛ばして遊ぶ玩具として、小形の円形状の厚紙で、紙にすべりをよくする為に、油や蝋を塗着させたものを親指と人差し指の間に円形状の厚紙の円周側面を挟んで、指で紙の側面をすべらすことによつて、この瞬間的な押出し力によつて円形状の厚紙を飛ばしたり、或は、フリスビーのようなプラスチック等で出来たやや大きめの円盤を手で一端を持つて空中に投げて飛ばすものはあつた。然し円形状の厚紙の場合、指ではさんで飛ばす為、おのずと形状が小形化され又、小形である為、飛ばした後もよくその紙円盤のゆくえを見ていないと、紛失することがあり又、紙製である為、何度も使用すると紙に皺ができ、飛ばすことができなくなる。又、フリスビーの様なすこし大きめのプラスチック等の円盤の場合は、厚紙円盤の様な欠点はないが、飛ばす為には、それなりの技術を要し、初心者や小さな子供達が直に飛ばして楽しめるものでもなかった、また値段も高く小さな子供達には不向きであった。
　本考案は以上の欠点を鑑みて考案されたもので、その目的は、大人は勿論、小さな子供達でも直に飛ばすことが出来、値段も安く、構造も簡単な飛揚円盤遊戯玩具を提供するものである。
　以下、本考案を図示の一実施例について説明すると、第１図は本考案に係る飛揚円盤保持具を示す全体斜視図であり、第２図は、本考案に係る飛揚円盤を示す平面図である。プラスチックから成る、細長の長方形を成した握部（１）（１’）と該握部（１）の握元部（
１
　以上の様な構成により、本考案の玩具を用いて遊ぶ場合、先ず、握部（１）（１’）を片手で持ち飛揚円盤（Ｂ）を鍔部（４）（５）に載置し、更に、突起部（６）（７）に飛揚円盤（Ｂ）の凹部（８）（８’）を嵌着させ、手に力を入れて握部（１）（１’）を握ると、握部（１）（１’）は第４図の矢示（I）方向［当審注：「矢視」は「矢示」の明らかな誤記と認める。以下同様。］に握元部（１１）を基点として移動し、この動きに合わせて、腕部（３）より腕部（２）の方が長い為に、腕部（２）に設けた突起部（６）に飛揚円盤（Ｂ）の凹部（８）又は凹部（８’）は係止した状態で、突起部（７）に係合している飛揚円盤（Ｂ）の凹部（８）又は凹部（８’）が突起部（７）より先ずはずれ、該突起部（７）の頂部（１２）を飛揚円盤（Ｂ）の円周側面（１３）が摺動する。この動作により、飛揚円盤（Ｂ）は矢示（II）の方向に回転して矢示（III）方向に漸次移動し、更に手の握りに力を入れて、握部（１）（１’）を矢示（I）の方向に移動させると飛揚円盤保持具（Ａ）の頂部（１２）を摺動していた円周側面（１３）は途中から先端頂部（１４）を摺動し、飛揚円盤（Ｂ）の凹部（８）と凹部（８’）のほぼ中間位いまで摺動した位置にて、円周側面（１３）と先端頂部（１４）との瞬間的なすべりにより、飛行円盤（Ｂ）は、さらに矢示（II）方向に回転力を増して、飛揚円盤（Ｂ）は先端頂部（１４）を離れ、その直後に、突起部（６）に係止していた飛揚円盤（Ｂ）の凹部（８’）又は凹部（８）も突起部（６）から外れ、飛揚円盤（Ｂ）は勢いよく矢示（III）の方向に飛んでいく又、飛揚円盤（Ｂ）の一平面に円弧凹部（１０）を設けることにより、この部分に空気の渦流が発生し、より高く飛揚円盤（Ｂ）は飛んでいく。
　本考案は以上の様な遊戯玩具である為、構造も簡単で、コンパクトで子供達のポケットにも入れられ、値段も安く、又、初心者にもすぐに高く、遠く飛ばすことができる。更に飛揚円盤の色彩も色々変えることにより、空中に舞い上がつた場合、色彩もきれいであり、他人が飛ばした円盤とも区別することができ、小さな子供から大人迄楽しく遊ぶことができるものである。」（明細書２頁２行〜同５頁２０行）
　
　そうしてみると、引用刊行物１の上記摘記事項及び図面の図示からみて、前記引用刊行物１には、次の発明（以下、「
引用発明１
「飛揚円盤遊戯玩具の飛揚円盤保持具（Ａ）に装填されて空中に高く遠く飛ばされるコンパクトで子供達のポケットにも入れられる飛揚円盤（Ｂ）であって、
　一方の前記飛揚円盤保持具（Ａ）は、握部（１），（１’）を有し、該握部（１）の端部に円弧状の腕部（３）が設けられ、該腕部（３）の先端よりに突起部（７）が突設されて、且つ腕部（３）の一平面に鍔部（５）が設けられているとともに、握部（１’）の端部に一方の腕部（３）より長い円弧状の腕部（２）が設けられ、該腕部（２）の先端よりに突起部（６）が設けられて、且つ腕部（２）の一平面に鍔部（４）が設けられていて、握元部（１１）を基点として開閉自在にされており、
　他方の前記飛揚円盤（Ｂ）は、円盤状の一平面が凸面をなし他面は円弧凹部（１０）をなす円盤であり、該円盤の円周側面（１３）に対向する１対の凹部（８），（８’）が任意の位置に適宜設けられていて、前記飛揚円盤保持具（Ａ）の前記鍔部（４），（５）上に載置されて腕部（２），（３）により挟装され、さらに突起部（６），（７）に飛揚円盤（Ｂ）の１対の凹部（８），（８’）が嵌脱自在に嵌着させられるようになっており、
　前記飛揚円盤保持具（Ａ）の前記握部（１），（１’）を片手で持って飛揚円盤（Ｂ）を鍔部（４），（５）に載置し、突起部（６），（７）に飛揚円盤（Ｂ）の１対の凹部（８），（８’）を嵌着させて、手に力を入れて握部（１），（１’）を握ると、握部（１），（１’）が握元部（１１）を基点として移動し、この動きに合わせて、腕部（３）より腕部（２）の方が長い為に、飛揚円盤（Ｂ）の凹部（８）又は凹部（８’）が腕部（２）に設けた一方の突起部（６）に係止した状態で、他方の突起部（７）に係合している飛揚円盤（Ｂ）の凹部（８’）又は凹部（８）が該突起部（７）より先ず外れて、該突起部（７）の頂部（１２）を飛揚円盤（Ｂ）の円周側面（１３）が摺動し、この動作により、飛揚円盤（Ｂ）が右回りに回転して前方に漸次移動し、さらに手の握りに力を入れて握部（１），（１’）を移動させると、前記突起部（７）の頂部（１２）を摺動していた円周側面（１３）が、途中から先端頂部（１４）を摺動し、飛揚円盤（Ｂ）の凹部（８）と凹部（８’）のほぼ中間ぐらいまで摺動した位置にて、円周側面（１３）と先端頂部（１４）との瞬間的なすべりにより、飛行円盤（Ｂ）が、さらに右回りに回転力を増して、先端頂部（１４）を離れ、その直後に、突起部（６）に係止していた飛揚円盤（Ｂ）の凹部（８）又は凹部（８’）も突起部（６）から外れて、飛揚円盤（Ｂ）が勢いよく前方に飛んでいき、このとき、飛揚円盤（Ｂ）の円弧凹部（１０）の部分に空気の渦流が発生することにより、飛揚円盤（Ｂ）がより高く飛んでいくようにした、合成樹脂等からなる飛揚円盤遊戯玩具の飛揚円盤保持具（Ａ）に装填されて空中に高く遠く飛ばされる飛揚円盤（Ｂ）」
　
（２）原審における拒絶査定の理由に引用された、本願の特許出願前に頒布された刊行物である特開平１０−２１６３６９号公報（以下、「
引用刊行物２
「【０００１】【発明の属するの技術分野】　本発明は、ディスクを発射させる玩具に関する。」
「【０００７】【課題を解決するための手段】　本発明は、上記した目的を達成するためのものである。
　（請求項１）
　請求項１記載の発明は、円盤状のディスク（１０）を基体（２０）の上部に載置し、その基体（２０）からディスク（１０）を発射させる玩具であって、そのディスク（１０）の周面には、縦方向に複数の細溝（１３）を備え、前記基体（２０）は、ディスク（１０）を載置するためのディスク台（３０）と、そのディスク台（３０）に載置したディスク（１０）を発射方向に押し出すためにスライド可能に形成した押し出し片（５０）とを備え、前記ディスク台（３０）は、ディスク（１０）の発射方向部分を開放して開口部（４３）とした横断面形状が略Ｃ字形状のディスク支持部（４０）を備え、その開口部（４３）は、ディスク（１０）の直径未満に形成し、前記ディスク支持部（４０）は、ディスク（１０）が押し出し片（５０）に押されると開口部（４３）がディスク（１０）の直径以上に拡がるよう弾性変形をし、前記開口部（４３）に面するディスク支持部（４０）の二つの開放端（４１，４１）のうち、いずれか一方の開放端（４１）には、ディスク（１０）に備えた細溝（１３）にかみ合う係合爪（４２）を備えたことを特徴とする。
　【０００８】　ここで、「円盤状」とは、横断面形状が円形状のものの他、例えば、正八角形、正十二角形、正十六角形のような正多角形を含む。
　また、「開放端（４１，４１）」とは、開口部（４３）に面し、かつ、ディスク（１０）に接触する部分をいう。
　請求項１記載の発明の作用を説明する。
　【０００９】　まず、押し出し片（５０）をディスク（１０）の発射方向とは反対の方向に引く。次に、ディスク台（３０）の上面に、ディスク（１０）を載置する。次に、押し出し片（５０）をディスク（１０）の発射方向に向けて押し出し、ディスク（１０）を押す。
　すると、ディスク（１０）がディスク支持部（４０）の開放端（４１，４１）付近に当接して開口部（４３）を外側に拡がる方向に力を加える。さらに、ディスク（１０）が押し出し片（５０）により押されると、ディスク支持部（４０）は、開口部（４３）がディスク（１０）の直径に等しくなるまで弾性変形をする。そして、開口部（４３）が、ディスク（１０）の直径に等しくなった時点で、ディスク（１０）は、開口部（４３）から押し出される。このとき、ディスク（１０）の細溝（１３）に係合爪（４２）が引っかかる。そのため、ディスク（１０）において係合爪（４２）に引っかかった部分は動きが規制または一端停止する。その結果、ディスク（１０）には、係合爪（４２）に引っかかった部分を支点とする回転力が生じる。この回転力を利用してディスク（１０）を発射させることができる。」
「【００１４】
　（請求項６）
　請求項６記載の発明は、周面に細溝（１３）を備えた円盤状のディスク（１０）を上部に載置して発射させる基体（２０）であって、その基体（２０）は、ディスク（１０）を載置するためのディスク台（３０）と、そのディスク台（３０）に載置した前記ディスク（１０）を発射方向に押し出すためにスライド可能に形成した押し出し片（５０）とを備え、前記ディスク台（３０）は、ディスク（１０）の発射方向部分を開放して開口部（４３）とした横断面形状が略Ｃ字形状のディスク支持部（４０）を備え、その開口部（４３）は、ディスク（１０）の直径未満に形成し、前記ディスク支持部（４０）は、ディスク（１０）が押し出し片（５０）に押されると開口部（４３）がディスク（１０）の直径以上に拡がるように弾性変形をし、前記開口部（４３）に面するディスク支持部（４０）の二つの開放端（４１，４１）のうち、いずれか一方の開放端（４１）には、ディスク（１０）に備えた細溝（１３）にかみ合う係合爪（４２）を備えたことを特徴とする。
　【００１５】　請求項６記載の発明の作用を説明する。
　ディスク（１０）を発射方向に押し出すとともに、ディスク（１０）の細溝（１３）に係合爪（４２）を引っかけて、ディスク（１０）に回転力を与える。これにより、ディスク（１０）を発射させることができる。
　（請求項７）
　請求項７記載の発明は、基体（２０）の上部に載置し、その基体（２０）から押し出されて発射されるディスク（１０）であって、基体（２０）には、先端が尖った係合爪（４２）を備え、前記ディスク（１０）は、円盤状に形成し、その周面には、縦方向に複数の細溝（１３）を備え、その細溝（１３）は、前記係合爪（４２）にかみ合うことを特徴とする。
　【００１６】　請求項７記載の発明の作用を説明する。
　基体（２０）から押し出されるときに、係合爪（４２）が細溝（１３）にかみ合うことによって、ディスク（１０）に回転力が得られる。」
「【００１８】　本実施の形態にかかる玩具は、鉛筆の先端部に基体２０を取付け、その基体２０の上面に載置したディスク１０を基体２０に備えた押し出し片５０を押し出して発射させることができる玩具である。
　まず、図１乃至図５に基づいて本発明の第一の実施の形態について説明する。
（ディスク）
　ディスク１０は、円形の上面１１と、その上面１１の周縁から下方に突出する周面１２とを備えて形成する。その周面１２には、縦方向に複数の細溝１３を備える。
（基体）
　基体２０は、ディスク１０を載置可能なほぼ円盤状のディスク台３０と、ディスク台３０の上面に載置したてディスク１０を発射方向へ押し出すための押し出し片５０とを備える。また、本実施の形態においては、そのディスク台３０の下面部から下方に突出して形成する鉛筆７０を差し込むための差し込み筒６０を備える。
（ディスク支持部）
　ディスク台３０の上面部の周縁には、ディスク１０の発射方向部分を開放して開口部４３とした横断面形状が略Ｃ字形状のディスク支持部４０を備える。その開口部４３は、ディスク１０の直径未満に形成する。またディスク支持部４０は、ディスク１０が押し出し片５０に押されると開口部４３がディスク１０の直径以上に拡がるように弾性変形をする。
　【００１９】　ディスク支持部４０の開口部４３に面する二つの開放端４１，４１のうち、いずれか一方の開放端４１には、ディスク１０の細溝１３に引っかけることができる係合爪４２を備える。他方の開放端４１は、ディスク１０の細溝１３に引っかからないように形成する。さらに、図３に示すように、ディスク支持部４０は、開放端４１，４１付近が弾性変形し易いように、押し出し片５０付近から開放端４１，４１にかけてディスク支持部４０の縦方向の厚みが薄くなるように形成する。
（押し出し片）
　押し出し片５０の開口部４３側端部には、ディスク台３０の上面に載置したディスク１０に当接可能な円弧状の当接部５１を備える。また、押し出し片５０の反開口部４３側には、指で押し出し片５０を押し出すための指当て部５２を備える。
　【００２０】　その押し出し片５０は、指当て部５２から発射方向へ力を加えると、ディスク台３０の上面をスライドするように形成する。具体的には、ディスク台３０の上面に発射方向に沿って二本のガイド溝３１，３１を備える。そして、押し出し片５０の開口部４３側に下方へ突出したガイド凸部５３，５３を備える。そのガイド凸部５３，５３を前記ガイド溝３１，３１にはめあわせ、ガイド凸部５３，５３がガイド溝３１，３１に沿ってスライドすることによって、押し出し片５０の動きを規制する。
（遊び方）
　まず、鉛筆７０の先端部を差し込み筒６０に差し込んで、基体２０を鉛筆の先端部に固定する。
　【００２１】　次に、押し出し片５０を反開口部４３側に引く。
　次に、ディスク台３０の上面に、ディスク１０を載置し、押し出し片５０の当接部５１とディスク１０の周面とを当接させる。
　次に、押し出し片５０の指当て部５２から開口部４３方向に向けて力を加え、ディスク１０を開口部４３から飛ばす。
（作用）
　本実施の形態の作用を、図２に基づいて説明する。
　【００２２】　押し出し片５０の当接部５１から発射方向に向けて力を加えると、ディスク１０が発射方向に押される。そして、ディスク１０がディスク支持部４０に当接して開放端４１，４１を外側に拡がる方向に力を加える。ディスク支持部４０は、開口部４３がディスク１０の直径に等しくなるまで弾性変形をする。そして、開口部４３が、ディスク１０の直径に等しくなった時点で、ディスク１０は、開口部４３から前方に押し出される。このとき、ディスク１０の細溝１３に係合爪４２が引っかかる。そのため、ディスク１０において係合爪４２に引っかかった部分は動きが停止または規制される。その結果、ディスク１０には、係合爪４２に引っかかった部分を支点とする回転力が生じる。この回転力を利用してディスク１０を前方に飛ばすことができる。」
　
３　当審の判断 
（１）対比 
　本願発明１と上記引用発明１とを対比する。
ア　まず、引用発明１における「飛揚円盤保持具（Ａ）」、「飛揚円盤保持具（Ａ）の腕部（２），（３）に設けられた突起部（６），（７）」及び「飛揚円盤（Ｂ）」のそれぞれが、本願発明１の「専用の射出機」、「専用射出機の射出機構端部に形成された爪部」及び「円形小型フリスビー」のそれぞれに相当することは、明らかである。
　
イ　また、引用発明１の「円盤」は、飛揚円盤遊戯玩具の飛揚円盤保持具（Ａ）に装填されて空中に高く遠く飛ばされるコンパクトで子供達のポケットにも入れられる飛揚円盤（Ｂ）であるから、引用発明１の前記「円盤」と本願発明１の「専用の射出機から射出されるフリスビーのように飛行する所定の大きさ、厚さ、重さを持った小型円盤状部材」とは、ともに「専用の射出機から射出されるフリスビーのように飛行する小型円盤状部材」である点で共通する。
　
ウ　そして、引用発明１の「１対の凹部（８），（８’）」は、飛揚円盤（Ｂ）の円周側面（１３）に対向する任意の位置に適宜設けられていて、飛揚円盤保持具（Ａ）の突起部（６），（７）に嵌脱自在に嵌着させられるようになっているものであるから、引用発明１の前記「１対の凹部（８），（８’）」と、本願発明１の「該小型円盤状部材の周端部に爪部との噛み合わせのための位置決めを容易なものとするように適当な間隔を採って厚さ方向に沿って形成された複数個の溝部」とは、ともに「該小型円盤状部材の周端部に適当な間隔を採って厚さ方向に沿って形成された複数個の溝部」である点で共通する。
　
エ　さらに、引用発明１では、前記飛揚円盤保持具（Ａ）の前記握部（１），（１’）を片手で持って飛揚円盤（Ｂ）を鍔部（４），（５）に載置し、突起部（６），（７）に飛揚円盤（Ｂ）の凹部（８），（８’）を嵌着させて、手に力を入れて握部（１），（１’）を握ると、握部（１），（１’）が握元部（１１）を基点として移動し、この動きに合わせて、腕部（３）より腕部（２）の方が長い為に、飛揚円盤（Ｂ）の凹部（８）又は凹部（８’）が腕部（２）に設けた一方の突起部（６）に係止した状態で、他方の突起部（７）に係合している飛揚円盤（Ｂ）の凹部（８’）又は凹部（８）が該突起部（７）より先ず外れて、該突起部（７）の頂部（１２）を飛揚円盤（Ｂ）の円周側面（１３）が摺動し、この動作により、飛揚円盤（Ｂ）が右回りに回転して前方に漸次移動し、さらに手の握りに力を入れて握部（１），（１’）を移動させると、前記突起部（７）の頂部（１２）を摺動していた円周側面（１３）が、途中から先端頂部（１４）を摺動し、飛揚円盤（Ｂ）の凹部（８）と凹部（８’）のほぼ中間ぐらいまで摺動した位置にて、円周側面（１３）と先端頂部（１４）との瞬間的なすべりにより、飛行円盤（Ｂ）が、さらに右回りに回転力を増して、先端頂部（１４）を離れ、その直後に、突起部（６）に係止していた飛揚円盤（Ｂ）の凹部（８）又は凹部（８’）も突起部（６）から外れて、飛揚円盤（Ｂ）が勢いよく前方に飛んでいくものとされていることから、引用発明１も、本願発明１の「該溝部に対して専用射出機の射出機構端部に形成された爪部が引っ掛けられた状態で射出動作することで小型円盤状部材に十分な回転が与えられる」の構成を備えているといえる。
　
オ　そうすると、本願発明１と引用発明１の両者は、
「専用の射出機から射出されるフリスビーのように飛行する小型円盤状部材であり、該小型円盤状部材の周端部に適当な間隔を採って複数個の溝部が厚さ方向に沿って形成され、該溝部に対して専用射出機の射出機構端部に形成された爪部が引っ掛けられた状態で射出動作することで小型円盤状部材に十分な回転が与えられる円形小型フリスビー」
である点で一致し、次の点で両者の構成が相違する。
　
相違点１
　
相違点２
　
（２）相違点についての検討 
ア　相違点１について
　上記引用刊行物２に、「円盤状のディスク１０を基体２０の上部に載置し、その基体２０からディスク１０を発射させる玩具に用いられる横断面形状が円形状のものであって、円形の上面１１と、その上面１１の周縁から下方に突出する周面１２とを備えて形成され、その周面１２に縦方向の複数の細溝１３を備えるディスク１０」に関する発明が記載されている。
　そして、引用刊行物２に記載の前記「円盤状のディスク１０を基体２０の上部に載置し、その基体２０からディスク１０を発射させる玩具に用いられる横断面形状が円形状のものであって、円形の上面１１と、その上面１１の周縁から下方に突出する周面１２とを備えて形成され、その周面１２に縦方向の複数の細溝１３を備えるディスク１０」は、本願発明１の「専用の射出機から射出されるフリスビーのように飛行する所定の大きさ、厚さ、重さを持った小型円盤状部材」にほかならない。
　さすれば、引用発明１の円盤状の一平面が凸面をなし他面は円弧凹部（１０）をなす円盤に代えて、前記引用刊行物２に記載の「円盤状のディスク１０を基体２０の上部に載置し、その基体２０からディスク１０を発射させる玩具に用いられる横断面形状が円形状のものであって、円形の上面１１と、その上面１１の周縁から下方に突出する周面１２とを備えて形成され、その周面１２に縦方向の複数の細溝１３を備えるディスク１０」を採用することにより、相違点１に係る本願発明１の「所定の大きさ、厚さ、重さを持った小型円盤状部材」の構成を得ることは、当業者が容易に想到できることである。
　
イ　相違点２について
　上記引用刊行物２に、「円盤状のディスク１０を基体２０の上部に載置し、その基体２０からディスク１０を発射させる玩具に用いられる横断面形状が円形状のものであって、円形の上面１１と、その上面１１の周縁から下方に突出する周面１２とを備えて形成され、その周面１２に縦方向の複数の細溝１３を備えるディスク１０」に関する発明が記載されていることは、上記「ア　相違点１について」欄に前述したとおりである。
　そしてまた、引用刊行物２の段落【００１９】には、「ディスク支持部４０の開口部４３に面する二つの開放端４１，４１のうち、いずれか一方の開放端４１には、ディスク１０の細溝１３に引っかけることができる係合爪４２を備える。」が記載されている。
　しかして、引用刊行物２に記載の「ディスク１０」は、円形の上面１１と、その上面１１の周縁から下方に突出する周面１２とを備えて形成され、その周面１２に縦方向の複数の細溝１３を備えるものであり、「ディスク１０がその周面１２に備える縦方向の細溝１３」が、ディスク１０の周面１２に複数条形成されていることから、前記細溝１３に係合爪４２がかみ合う際には、複数の細溝１３の内のいずれか１つの細溝１３に係合爪４２がかみ合うこととなるものであり、しかも、ディスク１０が基体２０の上部に載置されさえすれば、係合爪４２がかみ合うべき細溝１３の位置を選ぶことなく無造作に複数の細溝１３の内の１つの細溝１３に係合爪４２がかみ合うこととなるから、引用刊行物２に記載の「ディスク１０」は、細溝１３の係合爪４２に対するかみ合わせのための位置決めが容易になされるものとなっていることは明らかである。
　そうすると、引用刊行物２に記載の前記「ディスク１０がその周面１２に備える縦方向の複数の細溝１３」は、本願発明１の「小型円盤状部材の周端部に適当な間隔を採って厚さ方向に沿って形成された複数個の溝部」と同じく、爪部との噛み合わせのための位置決めを容易なものとするように形成されたものであるといえる。
　さすれば、引用発明１の「飛揚円盤（Ｂ）の１対の凹部（８），（８’）」に代えて、前記引用刊行物２に記載の前記「ディスク１０がその周面１２に備える縦方向の複数の細溝１３」を採用することにより、相違点２に係る本願発明１の「小型円盤状部材の周端部に適当な間隔を採って厚さ方向に沿って形成された複数個の溝部が、爪部との噛み合わせのための位置決めを容易なものとするように形成された」構成とすることは、当業者が容易に想到できることである。
　
　そして、本願発明１の奏する作用効果は、引用発明１及び引用刊行物２に記載された発明から予測できる範囲内のものであって、格別のものということができない。
　
（３）まとめ 
　以上のとおりであるから、本願発明１は、本願特許出願前に当業者が上記引用発明１及び引用刊行物２に記載された発明に基いて容易に発明をすることができたものである。
　
４　むすび 
　以上のとおり、請求項１に係る本願発明１は、本願特許出願前に当業者が上記引用発明１及び引用刊行物２に記載された発明に基いて容易に発明をすることができたものであり、本願発明１は特許法第２９条第２項の規定により特許を受けることができないから、他の請求項に係る発明について検討するまでもなく、本願は、拒絶されるべきである。
　よって、結論のとおり審決する。